(57)【特許請求の範囲】
【請求項１】
紙を基材とし、その両表面に熱可塑性合成樹脂層を有するシート状包装材料１１に折り目線を施して組み立てられてなる紙容器において、各面の上端が山形をなす４面の垂直胴板１からなる四角筒状の胴部２と、該胴部２の下端に連設された底部３と、該胴部２の上端に連設された切妻型頂部４とを備え、前記切妻型頂部４は、前記四角筒状の胴部２の一対の角を結ぶ対角線をなす方向に形成された長方形の一対のトップシール片５と、これらトップシール片５の下端から垂設され下部に山形をなすホームベース型の一対の傾斜片６と、該傾斜片６間に連設され凹状に折り込まれて上部と下部に山形をなすダイヤ型の一対の妻板片７とからなり、前記切妻型頂部４の前記各傾斜片６の山形の両辺と前記隣り合う垂直胴板１の山形の対向辺とが連設され、また同様に前記各妻板片７の下部の山形の両辺と前記隣り合う垂直胴板１の山形の対向辺とが連設され、前記各傾斜片６と前記各妻板片７には前記四角筒状の胴部２の各角部８に沿って折込線９，１０が設けられていることを特徴とする紙容器。
【請求項２】
紙を基材とし、その両表面に熱可塑性合成樹脂層を有する紙容器用シート状包装材料１１において、該紙容器用シート状包装材料１１には、横方向に４つの面が並設されるように横方向に所定間隔で縦方向に上端から下端に達する４本の縦折目線１０１と、上部にあってトップシール片５の下端を画する横折目線１０２と、下部にあって容器胴部２と容器底部３との境界をなす横折目線１０３と、前記トップシール片５側から各４つの面の幅方向の中央に上下方向にそれぞれ同じ長さで設けられた上部縦折目線１０４と、容器となったとき隣り合う２つの面に挟まれた各縦折目線１０１をそれぞれ中心線とし、該中心線の両側の前記２つの面の各上部縦折目線１０４の先端を対角線上のコーナ部としてダイヤ型をなす折目線１０５，１０６，１０７，１０８と、前記各ダイヤ型をなす折目線１０５，１０６，１０７，１０８のそれぞれ中心線としての各縦折目線１０１を除いた他の２本の各縦折目線１０１をそれぞれ中心線とし、該各縦折目線１０１に隣り合う２つの面の前記各上部縦折目線１０４を幅方向の境界として、ホームベース型をなす折目線１０９，１１０とが設けられていることを特徴とする紙容器用シート状包装材料。
【発明の詳細な説明】
【０００１】
【産業上の利用分野】
本考案は、切妻型頂部を有する紙容器及び該紙容器用シート状包装材料に関するものである。
【０００２】
【従来の技術】
牛乳やジュース等の液を入れる紙容器として、図９に示すように四角筒状の胴部２０の上に切妻型頂部２１が設けられている構造のものがある。このような構造の紙容器では、切妻型頂部２１の三角形をなす妻板片２２の箇所の凹部に指を入れてトップシール片２３間のシールを剥がして開口させている。
【０００３】
【発明が解決しようとする課題】
しかしながら、上記の構造の紙容器では、切妻型頂部２１の三角形をなす妻板片２２の形状が小さく、この妻板片２２の箇所の凹部に指を入れてトップシール片２３間のシールを剥がして該紙容器を開口させる作業がやり難い。
【０００４】
また、このような構造の紙容器では、図１０に示すようにトップシール片２３間のシールを剥がしてトップシール片２３の部分の折目線２４を外側に折って開口部２５を形成したとき、注ぎ口となる折目線２４が紙容器の胴部２０を構成する垂直板の両側の角部２６間中央部に位置しているので、注液の際、注ぎ口となる折目線２４を下に向けると、折目線２４が位置する胴部２０の両側の垂直板が略垂直面となり、この両側の垂直面となる垂直板を挟むようにして掴み注液を行う。この結果、掴んでいるところに引っ掛かりがなく滑り易く、このため特に容積の大きい容器の場合落としてしまうおそれがあり、また落とさないように強く掴むと胴部が変形してしまうといったことがあり、非常に持ち難くく、そして注液がし難い。
【０００５】
本発明の目的は、トップシール片間のシールを剥がして紙容器を開口させる作業を容易に行うことができ、しかも形成された開口部からの注液を容易に行うことができる紙容器を提供することにある。
【０００６】
本発明の他の目的は、トップシール片間のシールを剥がして紙容器を開口させる作業を容易に行うことができ、しかも形成された開口部からの注液を容易に行うことができる構造の紙容器の形成を容易に行える紙容器用シート状包装材料を提供することにある。
【０００７】
【課題を解決するための手段】
本発明は、紙を基材とし、その両表面に熱可塑性合成樹脂層を有するシート状包装材料１１に折り目線を施して組み立てられてなる紙容器を改良の対象としている。
【０００８】
本発明に係る紙容器は、各面の上端が山形をなす４面の垂直胴板１からなる四角筒状の胴部２と、該胴部２の下端に連設された底部３と、該胴部２の上端に連設された切妻型頂部４とを備え、前記切妻型頂部４は、前記四角筒状の胴部２の一対の角を結ぶ対角線をなす方向に形成された長方形の一対のトップシール片５と、これらトップシール片５の下端から垂設され下部に山形をなすホームベース型の一対の傾斜片６と、該傾斜片６間に連設され凹状に折り込まれて上部と下部に山形をなすダイヤ型の一対の妻板片７とからなり、前記切妻型頂部４の前記各傾斜片６の山形の両辺と前記隣り合う垂直胴板１の山形の対向辺とが連設され、また同様に前記各妻板片７の下部の山形の両辺と前記隣り合う垂直胴板１の山形の対向辺とが連設され、前記各傾斜片６と前記各妻板片７には前記四角筒状の胴部２の各角部８に沿って折込線９，１０が設けられていることを特徴とする。
【０００９】
本発明は、紙を基材とし、その両表面に熱可塑性合成樹脂層を有する紙容器用シート状包装材料を改良の対象としている。
【００１０】
本発明に係る紙容器用シート状包装材料１１は、該紙容器用シート状包装材料１１に、横方向に４つの面が並設されるように横方向に所定間隔で縦方向に上端から下端に達する４本の縦折目線１０１と、上部にあってトップシール片５の下端を画する横折目線１０２と、下部にあって容器胴部２と容器底部３との境界をなす横折目線１０３と、前記トップシール片５側から各４つの面の幅方向の中央に上下方向にそれぞれ同じ長さで設けられた上部縦折目線１０４と、容器となったとき隣り合う２つの面に挟まれた各縦折目線１０１をそれぞれ中心線とし、該中心線の両側の前記２つの面の各上部縦折目線１０４の先端を対角線上のコーナ部としてダイヤ型をなす折目線１０５，１０６，１０７，１０８と、前記各ダイヤ型をなす折目線１０５，１０６，１０７，１０８のそれぞれ中心線としての各縦折目線１０１を除いた他の２本の各縦折目線１０１をそれぞれ中心線とし、該各縦折目線１０１に隣り合う２つの面の前記各上部縦折目線１０４を幅方向の境界として、ホームベース型をなす折目線１０９，１１０とが設けられていることを特徴とする。
【００１１】
【作用】
本発明に係る紙容器のように、切妻型頂部４を、四角筒状の胴部２の一対の角を結ぶ対角線をなす方向に形成された長方形の一対のトップシール片５と、これらトップシール片５の下端から垂設され下部に山形をなすホームベース型の一対の傾斜片６と、該傾斜片６間に連設され凹状に折り込まれて上部と下部に山形をなすダイヤ型の一対の妻板片７とで構成することにより、この切妻型頂部４における妻板片７が大きく、折り込まれたダイヤ型をなす妻板片７により傾斜片６の間に形成される凹部が大きくなるので、この妻板片７の箇所の凹部に指を入れ易くトップシール片５間のシールを剥がして該紙容器を開口させる作業が容易となる。そしてまた、前記各傾斜片６には折込線９設けられているので、トップシール片５間のシールを容易に剥がせる。
【００１２】
前記紙容器はトップシール片５間のシールを剥がし、妻板片７の折込線１０を外側に折ることにより開口部が形成され、折込線１０の位置が注ぎ口となる。注ぎ口となる折込線１０は紙容器の胴部２を構成する垂直胴板１の角部８に沿って設けられているので、注液の際、注ぎ口に位置する折込線１０を下に向けると、紙容器の胴部２を構成する垂直胴板１の角部８が上下方向と左右方向に位置することになり、注液は４５度に傾斜する垂直胴板１を挟むようにして掴み行うことになるので、垂直胴板１を挟むようにして掴んだとき垂直胴板１の角部８が掌に引っ掛かり持ち易く、注液が容易に行える。
【００１３】
また、切妻型の切妻型頂部４は、ホームベース型の一対の傾斜片６とダイヤ型をなす一対の妻板片７とがいずれも面積が大きく、４面の表示面として使用でき、従ってこの紙容器は下部の四角筒状の胴部２の４面と合わせると、８面の表示面を得ることができる。
【００１４】
本発明に係る紙容器用シート状包装材料１１のように、該紙容器用シート状包装材料１１に、横方向に４つの面が並設されるように横方向に所定間隔で縦方向に上端から下端に達する４本の縦折目線１０１と、上部にあってトップシール片５の下端を画する横折目線１０２と、下部にあって容器胴部２と容器底部３との境界をなす横折目線１０３と、前記トップシール片５側から各４つの面の幅方向の中央に上下方向にそれぞれ同じ長さで設けられた上部縦折目線１０４と、容器となったとき隣り合う２つの面に挟まれた各縦折目線１０１をそれぞれ中心線とし、該中心線の両側の前記２つの面の各上部縦折目線１０４の先端を対角線上のコーナ部としてダイヤ型をなす折目線１０５，１０６，１０７，１０８と、前記各ダイヤ型をなす折目線１０５，１０６，１０７，１０８のそれぞれ中心線としての各縦折目線１０１を除いた他の２本の各縦折目線１０１をそれぞれ中心線とし、該各縦折目線１０１に隣り合う２つの面の前記各上部縦折目線１０４を幅方向の境界として、ホームベース型をなす折目線１０９，１１０とを設けることにより、折目線１０４，１０９，１１０，１０４で形成される傾斜片の間に形成されるダイヤ型をなす折目線１０５，１０６，１０７，１０８で形成される妻板片が大きい切妻型頂部を有する紙容器が得られる。
【００１５】
【実施例】
図１乃至図５は、本発明に係る紙容器の一実施例を示したものである。本実施例の紙容器は紙を基材とし、その両表面に熱可塑性合成樹脂層を有するシート状包装材料１１に折り目線を施して組み立てることは、従来通りである。
【００１６】
本実施例の紙容器は、各面の上端が山型をなす４面の垂直胴板１からなる四角筒状の胴部２と、該胴部２の下端に連設された四角形の底部３と、該胴部２の上端に連設された切妻型頂部４とを備えている。
【００１７】
切妻型頂部４は、四角筒状の胴部２の一対の角を結ぶ対角線をなす方向に形成された横長で長方形の一対のトップシール片５と、各トップシール片５の下端から垂設され下部に山形をなすホームベース型の一対の傾斜片６と、該傾斜片６間に連設され凹状に折り込まれて上部と下部に山形をなすダイヤ型の一対の妻板片７とで構成されている。
【００１８】
そして前記切妻型頂部４の前記各傾斜片６の山形が前記隣り合う垂直胴板１の山形の対向辺で形成される谷形に嵌まり、前記各傾斜片６の山形の両辺と、前記隣り合う垂直胴板１の山形の対向辺とが連設され、
また同様に前記各妻板片７の下部の山形が前記隣り合う垂直胴板１の山形の対向辺で形成される谷形に嵌まり、前記各妻板片７の下部の山形の両辺と前記隣り合う垂直胴板１の山形の対向辺とが連設されている。
【００１９】
前記各傾斜片６と前記各妻板片７には前記四角筒状の胴部２の各角部８に沿って折込線９，１０が設けられている。
【００２０】
上記のように、切妻型頂部４を、四角筒状の胴部２の一対の角を結ぶ対角線をなす方向に形成された長方形の一対のトップシール片５と、これらトップシール片５の下端から垂設され下部に山形をなすホームベース型の一対の傾斜片６と、該傾斜片６間に連設され凹状に折り込まれて上部と下部に山形をなすダイヤ型の一対の妻板片７とで構成することにより、この切妻型頂部４における妻板片７が大きく、折り込まれたダイヤ型をなす妻板片７により傾斜片６の間に形成される凹部が大きくなるので、この妻板片７の箇所の凹部に指を入れ易くなり（図６）、トップシール片５間のシールを剥がして該紙容器を開口させる作業が容易となる。そしてまた、前記各傾斜片６には折込線９設けられているので、トップシール片５間のシールを容易に剥がせる。
【００２１】
前記紙容器はトップシール片５間のシールを剥がし、妻板片７の折込線１０を外側に折ることにより開口部が形成され、折込線１０の位置が注ぎ口となる。注ぎ口となる折込線１０は紙容器の胴部２を構成する垂直胴板１の角部８に沿って設けられているので、注液の際、注ぎ口に位置する折込線１０を下に向けると、紙容器の胴部２を構成する垂直胴板１の角部８が上下方向と左右方向に位置することになり、注液を行うとき、４５度に傾斜する垂直胴板１を挟むようにして掴むと、垂直胴板１を挟むようにして掴んだとき垂直胴板１の角部８が掌に引っ掛かり持ち易く、また垂直胴板１の角部８を掴むことにより、注液を容易に行うことができる。
【００２２】
また、切妻型の切妻型頂部４は、ホームベース型の一対の傾斜片６とダイヤ型をなす一対の妻板片７とがいずれも面積が大きく、４面の表示面として使用でき、従ってこの紙容器は下部の四角筒状の胴部２の４面と合わせると、８面の表示面を得ることができる。
【００２３】
図８は、図１乃至図５に示す紙容器を形成する紙容器用シート状包装材料１１の一実施例を示したものである。本実施例の紙容器用シート状包装材料１１も、紙を基材とし、その両表面に熱可塑性合成樹脂層を有するものを用いることは、従来通りである。
【００２４】
本実施例では、該紙容器用シート状包装材料１１には、横方向に同じ幅の４つの面１２と幅狭の接着代面１３が並設されるように横方向に所定間隔で縦方向に上端から下端に達する４本の縦折目線１０１が設けられている。この４本の縦折目線１０１のうち、２本目と４本目の縦折目線１０１は下部が容器胴部２の角部８となり、上部が妻板片７の折込線１０となる。また１本目と３本目の縦折目線１０１は下部が容器胴部２の角部８となり、上部が傾斜片６の折込線９となる。
【００２５】
紙容器用シート状包装材料１１の上部にあってトップシール片５の下端を画する横折目線１０２が、また下部にあって容器胴部２と容器底部３との境界をなす横折目線１０３が設けられている。
【００２６】
前記トップシール片５側から各４つの面１２の幅方向の中央に上下方向に同じ長さでそれぞれ上部縦折目線１０４が設けられている。
【００２７】
また、容器となったとき隣り合う２つの面１２の両側の各縦折目線１０１、即ち２本目と４本目の縦折目線１０１をそれぞれ中心線とし、該中心線の両側の面１２の前記各上部縦折目線１０４の先端を対角線上のコーナ部としてダイヤ型をなす折目線１０５，１０６，１０７，１０８を設けている。更に詳細には、ダイヤ型をなす折目線１０５，１０６，１０７，１０８は、該２本目と４本目の縦折目線１０１における角部８と折込線１０の境と、前記各上部縦折目線１０４の先端と、折込線１０と横折目線１０２の交点を結んでいる。
【００２８】
また、他の縦折目線１０１、即ち１本目と３本目の縦折目線１０１をそれぞれ中心線とし、該中心線の両側の面１２の前記各上部縦折目線１０４の先端と前記中心線を結んでホームベース型をなす折目線１０９，１１０を設けている。更に詳細には、折目線１０９，１１０は該１本目と３本目の縦折目線１０１における角部８と折込線９の境と、前記各上部縦折目線１０４の先端と結んでおり、該折目線１０９，１１０と前記各上部縦折目線１０４，１０４とでホームベース型をなしている。
【００２９】
このような紙容器用シート状包装材料１１は、次のように組み立てられる。
【００３０】
先ず、紙容器用シート状包装材料１１の縦折目線１０１を折って接着代面１３と面１２をヒートシールして四角筒状部を形成し、次ぎに横折目線１０３を折り畳んでヒートシールし底部３を形成する。この状態で内部に牛乳等の内容物が注ぎ込まれる。
【００３１】
しかる後、折目線１０６，１０７，１０９，１１０を山折する。また各上部縦折目線１０４を山折し、また折目線１０５，１０８を谷折して、上部縦折目線１０４，１０４と折目線１０９，１１０により形成されるホームベース型の２つの面を内側に傾斜させ、ホームベース型の２つの面のトップシール片５を重ね合わせてヒートシールして密封し、図１に示す形状になる。
【００３２】
即ち、縦折目線１０１と折目線１１０，１０６，１０７，１０９と横折目線１０３とで垂直胴板１が形成され、これらを折ることにより胴部２が形成される。またホームベース型をなす上部縦折目線１０４，１０４と折目線１０９，１１０により切妻型頂部４の傾斜片６が形成され、そしてダイヤ型をなす折目線１０５，１０６，１０７，１０８により切妻型頂部４の妻板片７が形成される。
【００３３】
【発明の効果】
本発明に係る紙容器では、切妻型頂部４を、四角筒状の胴部２の一対の角を結ぶ対角線をなす方向に形成された長方形の一対のトップシール片５と、これらトップシール片５の下端から垂設され下部に山形をなすホームベース型の一対の傾斜片６と、該傾斜片６間に連設され凹状に折り込まれて上部と下部に山形をなすダイヤ型の一対の妻板片７とで構成することにより、この切妻型頂部４における妻板片７が大きく、折り込まれたダイヤ型をなす妻板片７により傾斜片６の間に形成される凹部が大きくなるので、この妻板片７の箇所の凹部に指を入れ易くトップシール片５間のシールを剥がして該紙容器を開口させる作業が容易となる。そしてまた、前記各傾斜片６には折込線９設けられているので、トップシール片５間のシールを容易に剥がすことができる。
【００３４】
前記紙容器はトップシール片５間のシールを剥がし、妻板片７の折込線１０を外側に折ることにより開口部を形成することができ、折込線１０の位置を注ぎ口とすることができるが、注ぎ口となる折込線１０は紙容器の胴部２を構成する垂直胴板１の角部８に沿って設けられているので、注液の際、注ぎ口に位置する折込線１０を下に向けると、紙容器の胴部２を構成する垂直胴板１の角部８が上下方向と左右方向に位置することになり、注液を行うとき、４５度に傾斜する垂直胴板１を挟むようにして掴んだとき垂直胴板１の角部８が掌に引っ掛かり持ち易く、また垂直胴板１の角部８を掴むことにより安定した状態で持ち上げることができ、注液を容易に行うことができる。
【００３５】
また、切妻型の切妻型頂部４は、ホームベース型の一対の傾斜片６とダイヤ型をなす一対の妻板片７とがいずれも面積が大きく、４面の表示面として使用でき、従ってこの紙容器は下部の四角筒状の胴部２の４面と合わせると、８面の表示面を得ることができる。
【００３６】
本発明に係る紙容器用シート状包装材料では、該紙容器用シート状包装材料１１に、横方向に４つの面が並設されるように横方向に所定間隔で縦方向に上端から下端に達する４本の縦折目線１０１と、上部にあってトップシール片５の下端を画する横折目線１０２と、下部にあって容器胴部２と容器底部３との境界をなす横折目線１０３と、前記トップシール片５側から各４つの面の幅方向の中央に上下方向にそれぞれ同じ長さで設けられた上部縦折目線１０４と、容器となったとき隣り合う２つの面の両側の各縦折目線１０１をそれぞれ中心線とし、該中心線に挟まれた前記２つの面の各上部縦折目線１０４の先端を対角線上のコーナ部としてダイヤ型をなす折目線１０５，１０６，１０７，１０８と、前記各ダイヤ型をなす折目線１０５，１０６，１０７，１０８のそれぞれ中心線としての各縦折目線１０１を除いた他の２本の各縦折目線１０１をそれぞれ中心線とし、該各縦折目線１０１に隣り合う２つの面の前記各上部縦折目線１０４を幅方向の境界として、ホームベース型をなす折目線１０９，１１０とを設けることにより、折目線１０４，１０９，１１０，１０４で形成される傾斜片の間に形成されるダイヤ型をなす折目線１０５，１０６，１０７，１０８で形成される妻板片が大きい切妻型頂部を有する紙容器を得ることができる。
【図面の簡単な説明】
【図１】本発明に係る紙容器の一実施例の斜視図。
【図２】本実施例の紙容器の正面図。
【図３】本実施例の紙容器の右側面図。
【図４】本実施例の紙容器の平面図。
【図５】本実施例の紙容器の底面図。
【図６】本実施例の紙容器でトップシール片間のシールを剥がす作業を示す説明図。
【図７】本実施例の紙容器でトップシール片間のシールを剥がす作業工程の途中の状態を示す斜視図。
【図８】本発明に係る紙容器用シート状包装材料の一実施例の平面図。
【図９】従来の紙容器の斜視図。
【図１０】従来の紙容器でトップシール片間のシールを剥がして開口させた状態を示す斜視図。
【符号の説明】
１      垂直胴板
２      胴部
３      底部
４      切妻型頂部
５      トップシール片
６      傾斜片
７      妻板片
８      角部
９      折込線
１０    折込線
１１    シート状包装材料
１２    面
１３    接着代面
１０１  縦折目線
１０２  横折目線
１０３  横折目線
１０４  上部縦折目線
１０５  折目線
１０６  折目線
１０７  折目線
１０８  折目線
１０９  折目線
１１０  折目線
【図１】
0003616158.tif 000002
【図２】
0003616158.tif 000003
【図３】
0003616158.tif 000004
【図４】
0003616158.tif 000005
【図５】
0003616158.tif 000006
【図６】
0003616158.tif 000007
【図７】
0003616158.tif 000008
【図８】
0003616158.tif 000009
【図９】
0003616158.tif 000010
【図１０】
0003616158.tif 000011